(57)【要約】【課題】誤って連絡することを抑制することができる安否確認情報提供システムを得る。【解決手段】検出領域における被検出者の動作を検出する動作検出装置１と、動作検出装置１の検出結果に基づいて、予め設定された判定時間内に被検出者が動作しなかったか否かを判定する被検出者異常判定装置２と、判定時間内に被検出者が動作しなかったと被検出者異常判定装置２が判定した場合に、被検出者異常信号を出力する遠隔監視装置３と、遠隔監視装置３から出力された被検出者異常信号が入力され、被検出者の外出時間の情報が予め入力され、情報センタに設けられる管理装置４とを備え、管理装置４は、外出時間外に被検出者異常信号が管理装置４に入力された場合に、予め設定された連絡先に連絡する。【選択図】図１
2019211894.tif 000002
【特許請求の範囲】
【請求項１】
検出領域における被検出者の動作を検出する動作検出装置と、
前記動作検出装置の検出結果に基づいて、予め設定された判定時間内に前記被検出者が動作しなかったか否かを判定する被検出者異常判定装置と、
前記判定時間内に前記被検出者が動作しなかったと前記被検出者異常判定装置が判定した場合に、被検出者異常信号を出力する遠隔監視装置と、
前記遠隔監視装置から出力された前記被検出者異常信号が入力され、前記被検出者の外出時間の情報が予め入力され、情報センタに設けられる管理装置と
を備え、
前記管理装置は、前記外出時間外に前記被検出者異常信号が前記管理装置に入力された場合に、予め設定された連絡先に連絡する安否確認情報提供システム。
【請求項２】
前記動作検出装置は、複数の前記検出領域のそれぞれにおける前記被検出者の動作を検出する複数の動作検出部を有し、
前記管理装置には、前記管理装置に前記被検出者異常信号が入力された場合に、複数の前記動作検出部のそれぞれの状態の情報が入力される請求項１に記載の安否確認情報提供システム。
【請求項３】
前記被検出者異常判定装置は、前記被検出者の外出時間が経過した場合に、前記判定時間の計時を開始する請求項１または請求項２に記載の安否確認情報提供システム。
【請求項４】
前記動作検出装置の検出結果に基づいて、前記被検出者が動作したと判定する被検出者動作判定装置をさらに備え、
前記遠隔監視装置は、前記被検出者が動作したと前記被検出者動作判定装置が判定した場合に、被検出者動作信号を出力し、
前記管理装置には、前記遠隔監視装置から出力された前記被検出者動作信号が入力され、
前記管理装置は、前記外出時間内に前記被検出者動作信号が前記管理装置に入力された場合に、予め設定された連絡先に連絡する請求項１から請求項３までの何れか一項に記載の安否確認情報提供システム。
【発明の詳細な説明】
【技術分野】
【０００１】
この発明は、検出領域における被検出者の動作を検出する安否確認情報提供システムに関する。
【背景技術】
【０００２】
従来、検出領域における被検出者の動作を検出する動作検出装置と、動作検出装置の検出結果に基づいて、予め設定された判定時間内に被検出者が動作しなかったか否かを判定する被検出者異常判定装置とを備えた安否確認情報提供システムが知られている。この安否確認情報提供システムは、判定時間内に被検出者が動作しなかったと被検出者異常判定装置が判定した場合に、被検出者異常信号を出力する発報装置と、発報装置から出力された被検出者異常信号が入力された場合に、予め設定された通報先に連絡する通報装置とを備えている（例えば、特許文献１参照）。
【先行技術文献】
【特許文献】
【０００３】
【特許文献１】特開平９−２２４９５号公報
【発明の概要】
【発明が解決しようとする課題】
【０００４】
しかしながら、被検出者が判定時間以上に外出した場合に被検出者が判定時間内に動作しなかったと判定される。その結果、通報装置が誤って連絡してしまうという問題点があった。
【０００５】
この発明は、上述のような課題を解決するためになされたものであり、その目的は、誤って連絡することを抑制することができる安否確認情報提供システムを提供するものである。
【課題を解決するための手段】
【０００６】
この発明に係る安否確認情報提供システムは、検出領域における被検出者の動作を検出する動作検出装置と、動作検出装置の検出結果に基づいて、予め設定された判定時間内に被検出者が動作しなかったか否かを判定する被検出者異常判定装置と、判定時間内に被検出者が動作しなかったと被検出者異常判定装置が判定した場合に、被検出者異常信号を出力する遠隔監視装置と、遠隔監視装置から出力された被検出者異常信号が入力され、被検出者の外出時間の情報が予め入力され、情報センタに設けられる管理装置とを備え、管理装置は、外出時間外に被検出者異常信号が管理装置に入力された場合に、予め設定された連絡先に連絡する。
【発明の効果】
【０００７】
この発明に係る安否確認情報提供システムによれば、管理装置は、外出時間外に被検出者異常信号が管理装置に入力された場合に、予め設定された連絡先に連絡する。これにより、誤って連絡することを抑制することができる。
【図面の簡単な説明】
【０００８】
【図１】この発明の実施の形態１に係る安否確認情報提供システムを示すブロック図である。
【図２】図１の安否確認情報提供システムの動作を示すフローチャートである。
【発明を実施するための形態】
【０００９】
実施の形態１．
図１は、この発明の実施の形態１に係る安否確認情報提供システムを示すブロック図である。この発明の実施の形態１に係る安否確認情報提供システムは、検出領域における被検出者の動作を検出する動作検出装置１と、動作検出装置１の検出結果に基づいて、被検出者が動作しなかったか否かを判定する被検出者異常判定装置２とを備えている。
【００１０】
動作検出装置１は、複数の検出領域のそれぞれにおける被検出者の動作を検出する複数の動作検出部を有している。検出領域としては、例えば、居室、通路、玄関などが挙げられる。居室、通路などに用いられる動作検出部としては、例えば、パッシブセンサ、カメラを用いた動作検出部などが挙げられる。玄関に用いられる動作検出部としては、例えば、マグネットセンサが挙げられる。
【００１１】
被検出者異常判定装置２には、判定時間が予め設定される。判定時間としては、例えば、２５時間、３６時間などが挙げられる。判定時間は、変更可能となっている。被検出者異常判定装置２には、動作検出装置１における複数の動作検出部の全ての検出結果が入力される。被検出者異常判定装置２は、動作検出装置１における複数の動作検出部の全ての検出結果に基づいて、判定時間内に被検出者が動作しなかったか否かを判定する。被検出者異常判定装置２は、判定時間の計時を開始した後、判定時間内に動作検出装置１が被検出者の動作を検出した場合に、判定時間をゼロにして、再度、判定時間の計時を開始する。言い換えれば、被検出者異常判定装置２は、判定時間の計時を開始した後、判定時間内に動作検出装置１が被検出者の動作を検出した場合に、判定時間がリセットされる。
【００１２】
また、この安否確認情報提供システムは、被検出者異常信号を出力する遠隔監視装置３と、情報センタに設けられる管理装置４とを備えている。
【００１３】
遠隔監視装置３は、判定時間内に被検出者が動作しなかったと被検出者異常判定装置２が判定した場合に、被検出者異常信号を出力する。
【００１４】
管理装置４には、遠隔監視装置３から出力された被検出者異常信号が入力される。また、管理装置４には、被検出者の外出時間の情報が予め入力される。管理装置４への被検出者の外出時間の情報の入力は、例えば、被検出者が情報センタに連絡することによって、行われる。
【００１５】
管理装置４は、外出時間外に被検出者異常信号が管理装置４に入力された場合に、予め設定された連絡先５に連絡する。連絡先としては、例えば、被検出者が所持する携帯電話、被検出者の親族の電話などが挙げられる。
【００１６】
管理装置４には、管理装置４に被検出者異常信号が入力された場合に、動作検出装置１における複数の動作検出部のそれぞれの状態の情報が入力される。
【００１７】
管理装置４は、被検出者の外出時間が経過した場合に、遠隔監視装置３を介して、被検出者異常判定装置２に対してリセット信号を入力する。被検出者異常判定装置２は、リセット信号が入力された場合に、判定時間の計時を開始する。これにより、被検出者異常判定装置２は、被検出者の外出時間が経過した場合に、判定時間の計時を開始する。
【００１８】
また、この安否確認情報提供システムは、動作検出装置１の検出結果に基づいて、被検出者が動作したと判定する被検出者動作判定装置６を備えている。
【００１９】
遠隔監視装置３は、被検出者が動作したと被検出者動作判定装置６が判定した場合に、被検出者動作信号を出力する。管理装置４には、遠隔監視装置３から出力された被検出者動作信号が入力される。管理装置４は、外出時間内に被検出者動作信号が管理装置４に入力された場合に、予め設定された連絡先に連絡する。
【００２０】
被検出者異常判定装置２および被検出者動作判定装置６は、動作検出装置１の検出結果が入力されるローカルコントローラと、このローカルコントローラおよび遠隔監視装置３のそれぞれに電気的に接続されるメインコントローラとから構成されている。
【００２１】
次に、この安否確認情報提供システムの動作について説明する。図２は、図１の安否確認情報提供システムの動作を示すフローチャートである。まず、ステップＳ１０１において、管理装置４から被検出者異常判定装置２にリセット信号が入力され、判定時間の計時が開始される。
【００２２】
その後、ステップＳ１０２において、被検出者異常判定装置２は、動作検出装置の検出結果に基づいて、判定時間内に被検出者が動作しなかったか否かを判定する。ステップＳ１０２において、判定時間内に被検出者が動作したと判定された場合には、ステップＳ１０１に戻る。
【００２３】
一方、ステップＳ１０２において、判定時間内に被検出者が動作しなかったと判定された場合には、ステップＳ１０３において、遠隔監視装置３は、被検出者異常信号を出力する。
【００２４】
その後、ステップＳ１０４において、管理装置４は、外出時間外に被検出者異常信号が管理装置４に入力されたか否かを判定する。ステップＳ１０４において、外出時間内に被検出者異常信号が管理装置４に入力されたと判定された場合には、そのまま、終了する。
【００２５】
一方、ステップＳ１０４において、外出時間外に被検出者異常信号が管理装置４に入力された場合には、ステップＳ１０５において、管理装置４は、連絡先５に連絡する。以上により、安否確認情報提供システムの動作が終了する。
【００２６】
以上説明したように、この発明の実施の形態１に係る安否確認情報提供システムによれば、検出領域における被検出者の動作を検出する動作検出装置１と、動作検出装置１の検出結果に基づいて、判定時間内に被検出者が動作しなかったか否かを判定する被検出者異常判定装置２とを備えている。また、この安否確認情報提供システムは、判定時間内に被検出者が動作しなかったと被検出者異常判定装置２が判定した場合に、被検出者異常信号を出力する遠隔監視装置３と、遠隔監視装置３から出力された被検出者異常信号が入力され、被検出者の外出時間の情報が予め入力され、情報センタに設けられる管理装置４とを備えている。管理装置４は、外出時間外に被検出者異常信号が管理装置４に入力された場合に、連絡先５に連絡する。これにより、誤って連絡することを抑制することができる。
【００２７】
また、動作検出装置１は、複数の検出領域のそれぞれにおける被検出者の動作を検出する複数の動作検出部を有している。管理装置４には、管理装置４に被検出者異常信号が入力された場合に、複数の動作検出部のそれぞれの状態の情報が入力される。これにより、被検出者異常信号が管理装置４に入力された場合であって、被検出者が検出領域にいる場合に、管理装置４は、複数の動作検出部のそれぞれの誤検出を確認することができる。その結果、作業者は、複数の動作検出部における故障している動作検出部を情報センタにおいて確認することができる。
【００２８】
また、被検出者異常判定装置２は、被検出者の外出時間が経過した場合に、判定時間の計時を開始する。これにより、被検出者異常判定装置２は、被検出者の外出時間が経過した後に、被検出者が動作しなかったか否かを判定することができる。
【００２９】
また、この安否確認情報提供システムは、動作検出装置１の検出結果に基づいて、被検出者が動作したと判定する被検出者動作判定装置６を備えている。遠隔監視装置３は、被検出者が動作したと被検出者動作判定装置６が判定した場合に、被検出者動作信号を出力する。管理装置４には、遠隔監視装置３から出力された被検出者動作信号が入力される。管理装置４は、外出時間内に被検出者動作信号が管理装置４に入力された場合に、連絡先に連絡する。これにより、管理装置４は、動作検出装置１の誤検出を確認することができる。この場合、管理装置４には、複数の動作検出部のそれぞれの状態の情報が入力されてもよい。これにより、外出時間内に被検出者動作信号が管理装置４に入力された場合であって、被検出者が検出領域にいない場合に、管理装置４は、複数の動作検出部のそれぞれの誤検出を確認することができる。
【符号の説明】
【００３０】
１  動作検出装置、２  被検出者異常判定装置、３  遠隔監視装置、４  管理装置、５  連絡先、６  被検出者動作判定装置。
【図１】
2019211894.tif 000003
【図２】
2019211894.tif 000004